(57)【特許請求の範囲】
【請求項１】
電池に接続されたＤＣ／ＤＣコンバータと、
該ＤＣ／ＤＣコンバータにより充電されるコンデンサと、
該コンデンサへの充電を開始する前に電池電圧の状態を検出するバッテリーチェック手段と、
前記ＤＣ／ＤＣコンバータの一次側の電流が所定値に達することを検出する検出手段と、
前記バッテリーチェック手段により検出される電池状態により、前記検出手段よりの検出信号に基づいて前記ＤＣ／ＤＣコンバータの制御を行うか、固定のパルス幅の信号により前記ＤＣ／ＤＣコンバータの制御を行うかを切り換える制御手段とを有し、
前記制御手段は、電池の内部抵抗が増加した状態のときに、もしくは電池電圧が所定電圧値より低下したときに、前記ＤＣ／ＤＣコンバータの制御を、前記検出手段よりの検出信号から前記固定のパルス幅の信号による制御に切り換えることを特徴とするコンデンサの充電装置。
【請求項２】
前記固定のパルス幅の信号により制御される際の前記ＤＣ／ＤＣコンバータの一次側の最大電流値は、前記検出手段の検出信号により制御される際の前記ＤＣ／ＤＣコンバータの一次側の最大電流値よりも小さいことを特徴とする請求項１に記載のコンデンサの充電装置。
【請求項３】
電池に接続されたＤＣ／ＤＣコンバータと、
該ＤＣ／ＤＣコンバータにより充電されるコンデンサと、
該コンデンサに充電されたエネルギーにより発光する放電管と、
前記コンデンサへの充電を開始する前に電池電圧の状態を検出するバッテリーチェック手段と、
前記ＤＣ／ＤＣコンバータの一次側の電流が所定値に達することを検出する検出手段と、
前記バッテリーチェック手段により検出される電池状態により、前記検出手段よりの検出信号に基づいて前記ＤＣ／ＤＣコンバータの制御を行うか、固定のパルス幅の信号により前記ＤＣ／ＤＣコンバータの制御を行うかを切り換える制御手段とを有し、
前記制御手段は、電池の内部抵抗が増加した状態のときに、もしくは電池電圧が所定電圧値より低下したときに、前記ＤＣ／ＤＣコンバータの制御を、前記検出手段よりの検出信号から前記固定のパルス幅の信号による制御に切り換えることを特徴とするストロボ装置。
【請求項４】
前記固定のパルス幅の信号により制御される際の前記ＤＣ／ＤＣコンバータの一次側の最大電流値は、前記検出手段の検出信号により制御される際の前記ＤＣ／ＤＣコンバータの一次側の最大電流値よりも小さいことを特徴とする請求項３に記載のストロボ装置。
【請求項５】
電池に接続されたＤＣ／ＤＣコンバータと、
該ＤＣ／ＤＣコンバータにより充電されるコンデンサと、
該コンデンサに充電されたエネルギーにより発光する放電管と、
前記コンデンサへの充電を開始する前に電池電圧の状態を検出するバッテリーチェック手段と、
前記ＤＣ／ＤＣコンバータの一次側の電流が所定値に達することを検出する検出手段と、
前記バッテリーチェック手段により検出される電池状態により、前記検出手段よりの検出信号に基づいて前記ＤＣ／ＤＣコンバータの制御を行うか、固定のパルス幅の信号により前記ＤＣ／ＤＣコンバータの制御を行うかを切り換える制御手段とを有し、
前記制御手段は、電池の内部抵抗が増加した状態のときに、もしくは電池電圧が所定電圧値より低下したときに、前記ＤＣ／ＤＣコンバータの制御を、前記検出手段よりの検出信号から前記固定のパルス幅の信号による制御に切り換えることを特徴とするストロボ内蔵カメラ。
【請求項６】
前記固定のパルス幅の信号により制御される際の前記ＤＣ／ＤＣコンバータの一次側の最大電流値は、前記検出手段の検出信号により制御される際の前記ＤＣ／ＤＣコンバータの一次側の最大電流値よりも小さいことを特徴とする請求項５に記載のストロボ内蔵カメラ。
【発明の詳細な説明】
【０００１】
【発明の属する技術分野】
本発明は、コンデンサの充電装置、ストロボ装置及びストロボ内蔵カメラの改良に関するものである。
【０００２】
【従来の技術】
従来のストロボ装置ではフォワード方式のコンバータが一般的であったが、最近ではカメラの小型化が進み、使用する電池容量も少なくなり、フォワード方式のコンバータに対して効率の良いフライバック方式のコンバータが使用されてきている。
【０００３】
一般的なフライバック方式のコンバータ（以下、フライバックコンバータと記す）は、発振トランスの一次電流を検出し、所定の電流（以下、Ｉｐと記す）にて発振トランスの一次電流を遮断し、発振を制御するものが多い。この遮断電流Ｉｐは、主コンデンサの充電時間に大きく影響し、遮断電流Ｉｐを小さくするとストロボ撮影時のレリーズタイムラグが増加することから、なるべく大きな遮断電流Ｉｐを流す必要がある。
【０００４】
【発明が解決しようとする課題】
しかしながら、従来の、遮断電流Ｉｐを電池の状態によらず一定の電流値で検出する回路では、電池が消耗してくると、フライバックコンバータの効率が悪くなるばかりか、最終的には電池電流の制御ができなくなる。
【０００５】
この点について図６を用いて説明する。電池が消耗すると電池電圧が低下し、電池の内部抵抗が増大し、図６のｂ又はｃに示すように、発振トランスの一次電流の電流波形がなまってくる。これは、フライバックコンバータの等価回路が電池電圧と電池内部抵抗とループ抵抗とインダクタンスの直列回路により構成されるためである。この時の電流Ｉは、以下のような式で表される。
【０００６】
Ｉ＝｛Ｅ／（Ｒbat ＋Ｒ）｝＊［１−ｅｘｐ｛−（Ｒbat ＋Ｒ）ｔ／Ｌ｝］
ここで、Ｅは電池電圧、Ｒbat は電池内部抵抗、Ｒはその他のループ抵抗、Ｌは発振トランスの一次のインダクタンスを示している。
【０００７】
電池が消耗してくると、図６のｂに示すように、発振トランスの一次電流はなまった波形となり、図６の斜線部分はほとんど損失となり、効率が悪くなる。さらに電池が消耗すると、図６のｃに示すように、発振トランスの一次電流が流れ続け（遮断電流Ｉｐに達しない為）、充電動作が行われなくなるという問題がある。
【０００８】
この問題を解決するために、バッテリーチェックの状態によって遮断電流Ｉｐを適切に制御するという手段も考えられる。しかしこの場合、遮断電流Ｉｐを制御するコンパレータのしきい値電圧を変える必要があり、制御回路にＤ／Ａ変換器を必要とし、カメラの回路構成が複雑になるという問題がある。
【０００９】
（発明の目的）
本発明の目的は、回路構成を複雑にすることなく、電池が消耗した際においても、充電中にＤＣ／ＤＣコンバータの一次側に電流が流れ続けることを防ぐとともに、充電効率を悪化させずに充電動作を行うことのできるコンデンサの充電装置、ストロボ装置及びストロボ内蔵カメラを提供しようとするものである。
【００１０】
【課題を解決するための手段】
上記目的を達成するために、本発明は、電池に接続されたＤＣ／ＤＣコンバータと、該ＤＣ／ＤＣコンバータにより充電されるコンデンサと、該コンデンサへの充電を開始する前に電池電圧の状態を検出するバッテリーチェック手段と、前記ＤＣ／ＤＣコンバータの一次側の電流が所定値に達することを検出する検出手段と、前記バッテリーチェック手段により検出される電池状態により、前記検出手段よりの検出信号に基づいて前記ＤＣ／ＤＣコンバータの制御を行うか、固定のパルス幅の信号により前記ＤＣ／ＤＣコンバータの制御を行うかを切り換える制御手段とを有し、前記制御手段が、電池の内部抵抗が増加した状態のときに、もしくは電池電圧が所定電圧値より低下したときに、前記ＤＣ／ＤＣコンバータの制御を、前記検出手段よりの検出信号から前記固定のパルス幅の信号による制御に切り換えるコンデンサの充電装置とするものである。
【００１１】
同じく上記目的を達成するために、本発明は、電池に接続されたＤＣ／ＤＣコンバータと、該ＤＣ／ＤＣコンバータにより充電されるコンデンサと、該コンデンサに充電されたエネルギーにより発光する放電管と、前記コンデンサへの充電を開始する前に電池電圧の状態を検出するバッテリーチェック手段と、前記ＤＣ／ＤＣコンバータの一次側の電流が所定値に達することを検出する検出手段と、前記バッテリーチェック手段により検出される電池状態により、前記検出手段よりの検出信号に基づいて前記ＤＣ／ＤＣコンバータの制御を行うか、固定のパルス幅の信号により前記ＤＣ／ＤＣコンバータの制御を行うかを切り換える制御手段とを有し、前記制御手段が、電池の内部抵抗が増加した状態のとき、もしくは電池電圧が所定電圧値より低下したときに、前記ＤＣ／ＤＣコンバータの制御を、前記検出手段よりの検出信号から前記固定のパルス幅の信号による制御に切り換えるストロボ装置とするものである。
【００１２】
同じく上記目的を達成するために、本発明は、電池に接続されたＤＣ／ＤＣコンバータと、該ＤＣ／ＤＣコンバータにより充電されるコンデンサと、該コンデンサに充電されたエネルギーにより発光する放電管と、前記コンデンサへの充電を開始する前に電池電圧の状態を検出するバッテリーチェック手段と、前記ＤＣ／ＤＣコンバータの一次側の電流が所定値に達することを検出する検出手段と、前記バッテリーチェック手段により検出される電池状態により、前記検出手段よりの検出信号に基づいて前記ＤＣ／ＤＣコンバータの制御を行うか、固定のパルス幅の信号により前記ＤＣ／ＤＣコンバータの制御を行うかを切り換える制御手段とを有し、前記制御手段が、電池の内部抵抗が増加した状態のとき、もしくは電池電圧が所定電圧値より低下したときに、前記ＤＣ／ＤＣコンバータの制御を、前記検出手段よりの検出信号から前記固定のパルス幅の信号による制御に切り換えるストロボ内蔵カメラとするものである。
【００１３】
【発明の実施の形態】
以下、本発明を図示の実施の形態に基づいて詳細に説明する。
【００１４】
図１は本発明の実施の一形態に係るストロボ内蔵カメラの回路構成を示すブロック図である。
【００１５】
まず、ストロボ装置側の構成について説明する。
【００１６】
１は電池（詳しくは等価的表記を示すブロック）、１３は電池電源、１４は電池の内部抵抗、２は電源スイッチ、５０は電池状態を検出するバッテリーチェック回路、４は発振ＦＥＴである。３は発振トランスであり、一次側の一端が発振ＦＥＴ４のドレインに、他方が電源スイッチ２に、それぞれ接続されている。２０はダイオードであり、アノードが発振トランス３の２次側に、カソードが後述の主コンデンサ２７に、それぞれ接続されている。１０は検出抵抗であり、発振ＦＥＴ４のソース及びコンパレータ５の正側入力端子に接続されている。１１及び１２は抵抗であり、抵抗１１と抵抗１２の接続端子に前記コンパレータ５の負側入力端子が接続されている。
【００１７】
２１はツェナーダイオード、２２は抵抗、２３はトランジスタであり、ツェナーダイオード２１と抵抗２２で構成される直列回路の接続点に、トランジスタ２３のベースが接続されている。２７は主コンデンサ、２５はトリガー回路、２６は放電管であり、トリガー回路２５の出力が放電管２６と接続されている。
【００１８】
ａ〜ｅはカメラの制御回路との接続ラインであり、ａは発振ＦＥＴ４のゲートに、ｂはコンパレータ５の出力端子に、ｃは抵抗２４とトランジスタ２３のコレクタとの接続点に、ｄはトリガー回路２５の起動端子に、ｅはバッテリーチェック回路５０の制御端子に、それぞれ接続されている。
【００１９】
次に、カメラの制御系について説明する。
【００２０】
１２０は定電圧回路であり、マイクロコンピュータ（以下マイコンと呼ぶ）等からなる制御回路１２５からＶＣＣＥＮ端子を介して制御され、各回路に電源であるＶＣＣを供給する。１２１はスイッチ検知回路であり、電池またはＶＣＣ電源により作動して、各スイッチの状態や変化などを制御回路１２５へ伝達する。１２２は温度検出回路、１２３はフィルム感度検知回路で、１２６は測距回路である。１２７は測光回路であり、制御回路１２５に各端子を介して必要な情報を伝える。１２４はシャッタを駆動するシャッタ駆動回路、１２９はレンズを駆動するためのレンズ駆動回路である。１３０はフィルムを給送するためのフィルム駆動回路であり、制御回路１２５により各動作を行う。１２８は表示回路であり、例えばＬＣＤ等に必要な情報を表示するものである。
【００２１】
次に、上記構成における主要部分の動作について、図２のフローチャートにより説明する。
【００２２】
ここでは、カメラの制御系側の電源は既に投入された状態にあり、この状態では制御回路１２５のマイコンは低消費モードとなっていて、動作が停止しているものとして説明を行う。
【００２３】
スイッチ検知回路１２１にて電源スイッチが投入されたことを検知すると、制御回路１２５内のマイコンが動作を開始する。制御回路１２５は定電圧回路１２０にＶCCEN端子を介して信号を与え、定電圧回路１２０は各回路に電源ＶCCを供給する。
【００２４】
図２のフローチャートに従って説明を進めると、制御回路１２５（マイコン）は以下の動作に必要なフラグ等の初期設定を行う（ステップ＃１）。そして、スイッチ検知回路１２１を作動させ（ステップ＃２）、撮影準備を行う為のレリーズボタンの半押し状態であるスイッチＳＷ１のオン待ちとなる（ステップ＃３）。前記スイッチＳＷ１がオンすると、バッテリーチェック回路５０を用いてバッテリーチェックを行い（ステップ＃４) 、カメラの撮影に必要な電源状態にあるか無いかを判定し（ステップ＃５）、充分で無い場合はステップ＃２へ戻る。また、バッテリー電圧が十分である場合はステップ＃６へ進む。なお、ステップ＃６，＃７の処理については後述する。
【００２５】
ステップ＃６またはステップ＃７の処理が終了すると、測距回路１２６を作動させて被写体までの距離を測定し（ステップ＃８）、次いで被写体の輝度を測定する（ステップ＃９）。そして、得られた輝度データから被写体輝度が所定輝度より明るいか暗いかを判定し（ステップ＃１０）、輝度が低い場合にはストロボの充電を行う（ステップ＃１１）。このストロボ充電では、前述のステップ＃６，＃７での処理に基づいて充電を行うので、ここで、ステップ＃６，＃７の処理について説明する。
【００２６】
図３に、詳細なバッテリーチェック回路５０の一例を示す。
【００２７】
まず、スイッチＳＷをオフにして電池電圧Ｅ０をモニターし、続いてカメラの制御回路１２５からの信号ｅによりスイッチＳＷをオンにして、バッテリーチェック用抵抗ＲC をオンさせ、その時の電池電圧Ｅ１をモニターする。この場合、抵抗ＲC は既知なので、次式より電池の内部抵抗ｒを算出する。
【００２８】
ｒ＝（Ｅ０−Ｅ１）／Ｅ1 ＊ＲC
なお、バッテリーチェックは、電池の内部抵抗ｒ（以下、Ｒbat とも記す）と電池電圧Ｅ０（以下、Ｖbat とも記す）を得られるものであればどのような方法を用いてもよい。
【００２９】
図２に戻って、ステップ＃６において、電池電圧Ｖbat が所定電圧値Ｖ０より小さい場合又は電池内部抵抗Ｒbat が所定抵抗値Ｒ０より大きい場合は、ステップ＃７へ進む。そして、このステップ＃７においては、制御端子ａが後述する固定のオンパルス幅Ｔ０で駆動されるように、例えば制御端子ａの動作に同期して動作する不図示のタイマをセットする。
【００３０】
こうすることで、フライバックコンバータのオンからオフへの制御は、発振トランス３に流れる電流値でなく、固定のオンパルスにより決定することになる。
【００３１】
なお、このステップ＃７へ進むのは、電池電圧が所定電圧より小さい場合のみや、電池内部抵抗が所定抵抗値より大きい場合のみとしてもよい。また、上記ステップ＃６からステップ＃７へ進むような、電池電圧Ｖbat が所定電圧値Ｖ０より小さい場合や電池内部抵抗Ｒbat が所定抵抗値Ｒ０より大きい場合の電池を“消耗電池”と記し、電池電圧Ｖbat が所定電圧Ｖ０より大きい場合や電池内部抵抗Ｒbat が所定抵抗値Ｒ０よりも小さい場合の電池を“通常電池”と記すことにする。
【００３２】
上記ストロボ充電を行うステップ＃１１の動作の詳細を、図４に示すフローチャートを用いて説明する。
【００３３】
図４において、まず、充電を行う所定時間は、例えば１０〜１５秒程度が一般的であり、このタイマを作動させる（ステップ＃４１）。次に、制御回路１２５より接続端子ａにハイレベル信号を与え、ストロボ充電を開始する（ステップ＃４２）。
【００３４】
ここで、初めに“通常電池”の場合におけるストロボ充電について、図１を用いて説明する。
【００３５】
図１において、端子ａに与えられたハイレベル信号は、発振ＦＥＴ４のゲートに入力され、発振ＦＥＴ４のゲート電位が与えられ、該発振ＦＥＴ４は導通する。このため、ドレイン電流が、電池１、電源スイッチ２、発振トランス３の一次巻線及び発振ＦＥＴ４、抵抗１０を介するループで、発振トランス３の一次巻線に流れる。また、発振トランス３の一次巻線に電流が流れると、ドレイン電流により抵抗１０に電位が発生し、ここでの電位が抵抗１１と抵抗１２により定められるコンパレータ５の比較電圧に達すると、該コンパレータ５の出力端子はローレベルからハイレベルとなり、端子ｂを通じて制御回路１２５にハイレベル信号が入力される。すると、直ちに端子ａにローレベルが出力され、発振ＦＥＴ４のゲートには電位がなくなり、該発振ＦＥＴ４は非導通となる。ここから先のストロボ充電動作は、“消耗電池”と共通動作となるために後述する。
【００３６】
次に、“消耗電池”の場合におけるストロボ充電について説明する。
【００３７】
図１において、端子ａに与えられたハイレベル信号は、発振ＦＥＴ４のゲートに入力され、発振ＦＥＴ４のゲート電位が与えられ、該発振ＦＥＴ４は導通する。このため、ドレイン電流が、電源１、電源スイッチ２、発振トランス３の一次巻線及び発振ＦＥＴ４、抵抗１０を介するループで、発振トランス３の一次巻線に流れる。また、この時端子ａには固定のパルス幅Ｔ０の信号が与えられる。つまり、Ｔ０経過後に端子ａにローレベル信号が与えられ、発振ＦＥＴ４のゲートの電位がなくなり、該発振ＦＥＴ４は非導通となる。
【００３８】
なお、固定のパルス幅Ｔ０はコンパレータ５により決定される電池電流の検出レベルまで到達しないような値、別言すれば、“通常電池”時の検出レベルよりも低いレベル（遮断電流）となるような値を設定する。
【００３９】
以後の共通動作の説明に入り、上記のように発振ＦＥＴ４が非導通となると、ドレイン電流がなくなり、発振トランス３の一次巻線に逆起電力が発生し、発振トランス３の２次巻線に起電力が発生し、ダイオード２０を介して主コンデンサ２７にエネルギーが蓄積される。そして例えば、一定時間経過後に再び端子ａからハイレベル信号が出力されるようにしておけば、再び上記の動作を行い、この動作を繰り返すことで主コンデンサ２７にエネルギーが蓄積される。
【００４０】
図５に、このときの各部の波形を示す。
【００４１】
図５において、Ａ，Ａ′は発振トランス３の一次巻線に流れる電流（一次側に流れる電流）、Ｂ，Ｂ′は発振ＦＥＴ４のゲート電位、Ｃ，Ｃ′はコンパレータ５の出力電圧を、それぞれ示している。また、Ａ，Ｂ，Ｃの波形は“通常電池”、Ａ′，Ｂ′，Ｃ′は“消耗電池”の時の波形を示している。
【００４２】
“消耗電池”時の電流検出を行った場合、電池電圧の低下や電池内部抵抗の増加により、Ａ′の点線で示すように電流波形がなまってくる。発振トランス３に蓄えられるエネルギーは、該発振トランス３に流れる電流の２乗に比例するため、電流波形がなまった部分はほとんどエネルギーとして蓄えられず、発振トランス３や発振ＦＥＴ４により構成されるＤＣ／ＤＣコンバータの損失となる。
【００４３】
このため、“消耗電池”の時は、Ａ′の実線に示すように、フライバックコンバータのオンからオフへの制御を、コンパレータ５で検出する検出信号から一定のパルス幅Ｔ０の信号で行うようにすることにより、ＤＣ／ＤＣコンバータの効率を悪化させずにストロボ充電を行うことが可能となる。
【００４４】
やがて、主コンデンサ２７の電圧が上昇していき、主コンデンサ２７の電位がツェナーダイオード２１の逆降伏電圧を越えると、ツェナーダイオード２１及び抵抗２２に電流が流れ、抵抗２２には電位が発生する。この電位により、トランジスタ２３は導通するとともに、接続端子ｃにローレベルが入力される。
【００４５】
図４のストロボ充電時のフローチャートに戻って、ステップ＃４３以降の動作の説明を続ける。
【００４６】
ツェナーダイオード２１、抵抗２２，２４及びトランジスタ２３から成る充電電圧検出回路から上記のように制御回路１２５の接続端子ｃにローレベルの信号が入力されているか否かを判定する（ステップ＃４３）。接続端子ｃに充電完了を示すローレベルの信号が入力されると、制御回路１２５の端子ａをローレベルとして充電を停止し（ステップ＃４４）、充電完了を示すフラグを立てる（ステップ＃４５）。
【００４７】
また、充電タイマ期間中に充電完了レベルにならなかった場合（ステップ＃４２→＃４３→＃４６→＃４２……＃４６）、同様に充電を停止し（ステップ＃４７）、未充電完了としてフラグをリセットする（ステップ＃４８）。
【００４８】
その後は充電タイマをリセットして（ステップ＃４９）、ストロボの充電フローを終了し、図２のステップ＃１２以降へと進む。
【００４９】
図２に戻って、ステップ＃１２にて、図４の前記ステップ＃４５，＃４８でのフラグを確認し、充電が完了していない場合は、ステップ＃２に戻るが、充電完了であれば、次にスイッチＳＷ１がオン状態であればスイッチＳＷ２（全押し操作）がオンされるのを待つ（ステップ＃１３, ＃１４）。
【００５０】
前記スイッチＳＷ２がオンされると、上記ステップ＃６での測距データに基づきレンズ駆動回路１２９を制御して焦点調整（レンズセット）を行う（ステップ＃１５）。そして、上記ステップ＃７で得られた被写体の輝度とフィルム感度データからの条件によりシャッタ開口をシャッタ駆動回路１２４を介して制御すると共に、輝度が低くストロボ装置が必要な場合には測距データとフィルム感度によりシャッタ制御を行い、適正な絞り値でストロボ装置を発光させる（ステップ＃１６）。
【００５１】
上記ストロボ装置の発光は、図１の端子ｄにハイレベル信号を与えて行う。制御回路１２５の端子ｄからハイレベル信号が与えられ、このハイレベル信号により、トリガー回路２５の出力端子には高圧パルスが発生する。この高圧パルスにより放電管２６のトリガー電極を介して該放電管２６は励起状態となり、放電管２６のインピーダンスは急激に低下し、主コンデンサ２７の充電電荷が一瞬にして放電し、該放電管２６はこのエネルギーを光エネルギーに変換し、発光する。
【００５２】
シャッタが閉成されると、焦点位置にあったレンズを初期位置に戻すレンズリセットを行う（ステップ＃１７）。そして、１駒のフィルム巻き上げを行い（ステップ＃１８）、次いでストロボ装置が使用されたか否かを判定し（ステップ＃１９）、ストロボ装置が使用された場合は上記ステップ＃１１と同様なフローで充電を行う（ステップ＃２０）。また、ストロボ装置が使用されなかった場合はステップ＃２０をスキップしてステップ＃２に戻り、一連のシーケンスを終了する。
【００５３】
以上の実施の形態によれば、“消耗電池”の時は、図５のＡ′の実線に示すように、フライバックコンバータのオンからオフへの制御を、コンパレータ５で検出する検出信号から一定のパルス幅Ｔ０の信号で行うようにしているので、ＤＣ／ＤＣコンバータの効率を悪化させずにストロボ充電を行うことが可能となる。つまり、ストロボ充電中に発振トランスの一次電流が流れ続けることを防ぐことができ、しかも充電効率を悪化させることなくストロボ充電を行うことが可能となる。
【００５４】
また、バッテリーチェックの状態によって遮断電流Ｉｐを適切に制御する方式を用いていない為、Ｄ／Ａコンバータを必要としない簡単な回路構成となる。詳しくは、固定のパルス幅を発生する為の手段、例えばタイマ手段を一つ持つだけで済み、非常に簡単な構成により実現可能である。
【００５５】
（発明と実施の形態の対応）
上記実施の形態において、発振トランス３及び発振ＦＥＴ４が本発明のＤＣ／ＤＣコンバータに相当し、コンパレータ５及び抵抗１１、抵抗１２が本発明の検出手段に相当し、マイクロコンピュータを含むカメラ制御回路１２５が本発明の制御手段に相当する。
【００５６】
（変形例）
上記実施の形態では、ストロボ内蔵カメラを例にしているが、これに限定されるものではなく、ストロボ装置単体であっても良く、又カメラとストロボ装置の組み合わせより成るカメラシステムやコンデンサの充電装置としても適用できるものである。
【００５７】
【発明の効果】
以上説明したように、本発明によれば、回路構成を複雑にすることなく、電池が消耗した際においても、充電中にＤＣ／ＤＣコンバータの一次側に電流が流れ続けることを防ぐとともに、充電効率を悪化させずに充電動作を行うことができるコンデンサの充電装置、ストロボ装置又はストロボ内蔵カメラを提供できるものである。
【図面の簡単な説明】
【図１】本発明の実施の一形態に係るストロボ装置及びカメラの回路構成を示す回路図である。
【図２】本発明の実施の一形態に係るストロボ装置及びカメラの動作を示すフローチャートである。
【図３】図１のバッテリーチェック回路の詳細を示す回路図である。
【図４】本発明の実施の一形態にけるストロボ充電時の動作を示すフローチャートである。
【図５】図４の動作を助ける為の各部の波形を示す図である。
【図６】従来の問題点を説明する為の図である。
【符号の説明】
３            発振トランス
４            発振ＦＥＴ
１０〜１２    抵抗
５０          バッテリーチェック回路
１２５        制御回路
【図１】
0004227296.tif 000002
【図２】
0004227296.tif 000003
【図３】
0004227296.tif 000004
【図４】
0004227296.tif 000005
【図５】
0004227296.tif 000006
【図６】
0004227296.tif 000007